(57)【特許請求の範囲】
【請求項１】
便器ボウルと、
前記便器ボウルに水を供給する給水部と、
前記便器ボウルの底部の排水口に接続された変形可能な排水トラップと、
前記排水トラップが収納されるトラップケースと、
前記排水トラップの下流端の位置を排水位置と第一の封水位置と前記第一の封水位置よりも前記排水トラップの下流端の位置が高い第二の封水位置とに切り替える駆動部とを備え、
前記トラップケースは、前記第二の封水位置にあるときの前記排水トラップの下流端の開口を塞ぎ、前記第一の封水位置にあるときの前記開口を塞がないように構成された閉塞部を有し、
前記駆動部は、前記給水部から前記便器ボウルに水を供給した状態で、前記第一の封水位置と前記第二の封水位置とを切り替えることを特徴とする水洗便器。
【請求項２】
前記閉塞部は、弾性体で形成されていることを特徴とする請求項１に記載の水洗便器。
【発明の詳細な説明】
【技術分野】
【０００１】
本発明は、水洗便器に関し、特に、排水トラップの姿勢を切り替え可能な水洗便器に関する。
【背景技術】
【０００２】
特許文献１には、トラップを給水姿勢と排水姿勢とに切り替え可能な水洗便器が提案されている。
【０００３】
この水洗便器では、用便後にスイッチをオンにすると、トラップが給水姿勢から排水姿勢に切り替わって排水が行われ、排水後にトラップが排水姿勢から給水姿勢に切り替わる。
【先行技術文献】
【特許文献】
【０００４】
【特許文献１】特開２００５−１５５１４６号公報
【発明の概要】
【発明が解決しようとする課題】
【０００５】
ところで、特許文献１のようにトラップの姿勢が切り替え可能な水洗便器では、排水後にトラップ内の封水が切れて破封が生じ、下水管からの臭いがトラップを通じて上がってくるおそれがあった。
【０００６】
本発明は、排水後に下水管からの臭いがトラップを通じて上がってくることを抑制することができる水洗便器を提案することを課題とする。
【課題を解決するための手段】
【０００７】
上記課題を解決するための本発明の水洗便器は、便器ボウルと、前記便器ボウルに水を供給する給水部と、前記便器ボウルの底部の排水口に接続された変形可能な排水トラップと、前記排水トラップが収納されるトラップケースと、前記排水トラップの下流端の位置を排水位置と第一の封水位置と前記第一の封水位置よりも前記排水トラップの下流端の位置が高い第二の封水位置とに切り替える駆動部とを備え、前記トラップケースは、前記第二の封水位置にあるときの前記排水トラップの下流端の開口を塞ぎ、前記第一の封水位置にあるときの前記開口を塞がないように構成された閉塞部を有し、前記駆動部は、前記給水部から前記便器ボウルに水を供給した状態で、前記第一の封水位置と前記第二の封水位置とを切り替えることを特徴とする。        
【発明の効果】
【０００８】
本発明の水洗便器は、排水後に下水管からの臭いがトラップを通じて上がってくることを抑制することができる。
【図面の簡単な説明】
【０００９】
【図１】本発明の一実施形態の水洗便器を概略的に示す側面断面図であり、図１Ａは排水トラップが第一の封水姿勢にあるときの状態を示し、図１Ｂは排水トラップが第二の封水姿勢にあるときの状態を示す。
【図２】同上の水洗便器の排水トラップの動きを示す側面図である。
【図３】同上の水洗便器の排水トラップの動きと給水期間と破封期間の関係を示す説明図である。
【発明を実施するための形態】
【００１０】
本発明を、添付図面に示す実施形態に基づいて説明する。
【００１１】
図１Ａ及び図１Ｂに示す一実施形態の水洗便器は、便器ボウル１の底部の排水口１０に接続された排水トラップ２の姿勢を切り替え可能な水洗便器である。以下では、平面視において排水トラップ２に対して便器ボウル１が位置する側を前方とし、その反対側を後方とし、この前後方向に直交する方向を左右方向として、各構成について説明する。図１Ａ及び図１Ｂにおいては、矢印Ｘ１で示す方向が前方であり、矢印Ｚ１で示す方向が上方である。
【００１２】
水洗便器は、便器ボウル１と、排水トラップ２と、排水トラップ２の姿勢を切り替える駆動部３と、便器ボウル１に水を供給する給水部４と、排水トラップ２内の流路を含み、便器ボウル１に溜めた水を排水する排水流路５を備える。更に、水洗便器は、便器ボウル１の上端と一体のリム１１と、リム１１と一体で便器ボウル１の周囲を覆うスカート１２と、排水トラップ２が収納されるトラップケース６と、リム１１上に載置される便座１３と、便座１３を覆う便蓋１４を備える。更に、水洗便器は、局部洗浄ノズル、局部乾燥用の温風装置、脱臭装置、便座１３の加温装置、及びこれらを制御する制御装置等を適宜備える。
【００１３】
便器ボウル１は、後方に突出する筒部１５を底部に有し、筒部１５の先端部（後端部）には、後方に開口する排水口１０を有する。
【００１４】
排水トラップ２は、屈曲自在な蛇腹状の管体であり、変形可能である。排水トラップ２は、上流端部が排水口１０に連通するように、筒部１５に接続されている。排水トラップ２は、下流端部が駆動部３によって支持されて、駆動部３によって上下に回動される。
【００１５】
排水トラップ２は、トラップケース６内に上下に回動自在に配置されている。トラップケース６は、中空の箱状であり、前壁６１、後壁６２、上壁６３、下壁６４、及び左右一対の側壁を有する。前壁６１には、排水トラップ２の上流端部が隙間無く挿通される挿通口６５が設けられている。下壁６４には、外部の排水管に接続される排出口６６が下方に開口させて設けられている。
【００１６】
駆動部３は、図２Ａ〜図２Ｄに示すように、排水トラップ２の下流端部の外周に取り付けられるリング状の支持部３０と、支持部３０に一端が固定されたアーム部３１と、アーム部３１の他端に固定された軸部３２と、軸部３２を回転させるモータとを有する。駆動部３は、モータの駆動により軸部３２を回転させることで、アーム部３１及び支持部３０を回動し、これにより、排水トラップ２の下流端部を上下に回動させる。
【００１７】
駆動部３は、排水トラップ２を、その下流端の開口が上方を向く封水姿勢と、下方を向く排水姿勢とに切り替え自在である。封水姿勢は、図２Ａ、図２Ｃの実線部分及び図２Ｅの実線部分で示す第一の封水姿勢と、図２Ｄの実線部分で示す第二の封水姿勢とを含む。第二の封水姿勢は、第一の封水姿勢の排水トラップ２を更に上方に回動させた姿勢である。
【００１８】
排水トラップ２の下流端の開口方向は、第一の封水姿勢及び第二の封水姿勢において水平方向よりも上向きとなり、排水姿勢において水平方向よりも下向きとなる。排水トラップ２は、第一の封水姿勢のときに、下流端の開口が後斜め上方を向き、第二の封水姿勢のときに、下流端の開口が略鉛直上方を向く。排水トラップ２は、第二の封水姿勢のときに、第一の封水姿勢のときよりも多く量の水を内部に溜め置くことができる。
【００１９】
排水トラップ２が第一の封水姿勢にあるとき、排水トラップ２の下流端は、第一の封水位置に位置する。排水トラップ２が第二の封水姿勢にあるとき、排水トラップ２の下流端は、第二の封水位置に位置する。排水トラップ２が排水姿勢にあるとき、排水トラップ２の下流端は、排水位置に位置する。駆動部３は、排水トラップ２の下流端の位置を、第一の封水位置と、第二の封水位置と、排水位置とに切り替えるものである。
【００２０】
給水部４は、その上流端部が上水道に接続され、下流端部の開口が、便器ボウル１の上部に配されている。給水部４は、便器ボウル１の内面に沿う方向に水を供給して、便器ボウル１内に旋回する流れを形成する。
【００２１】
排水流路５は、便器ボウル１の底部に溜めた水が排水される排水路である。排水流路５は、便器ボウル１の筒部１５内の流路と、排水トラップ２内の流路とで構成される。
【００２２】
トラップケース６は、封水位置（本実施形態では第二の封水位置）にあるときの排水トラップ２の下流端の開口を塞ぐように構成された閉塞部７を更に有する。閉塞部７は、上壁６３から下方に突出している。
【００２３】
閉塞部７は、第二の封水位置にあるときの排水トラップ２の下流端の開口に当たってこの開口を全体的に塞ぎ、第一の封水位置にあるときの排水トラップ２の下流端の開口を少なくとも一部開くように、その寸法形状を設定している。本実施形態では、閉塞部７は略板状である。閉塞部７は、ゴム等の弾性体で形成されており、中空の略板状である。なお、閉塞部７は、中実の略板状の弾性体であってもよい。また、閉塞部７は、略板状以外の形状を有することも可能である。閉塞部７は、上壁６３の下面の一部に、接着や溶着等の手段で固定されている。
【００２４】
上述した本実施形態の水洗便器は、例えば、図３に示すように動作する。
【００２５】
図３では、縦軸ｈは、排水トラップ２の下流端の高さ位置を示す。ｈ１は排水姿勢のときの高さ位置（排水位置）を示し、ｈ２は第一の封水姿勢のときの高さ位置（第一の封水位置）を示し、ｈ３は第二の封水姿勢のときの高さ位置（第二の封水位置）を示す。横軸ｔは、経過時間を示す。Ｗ１は、排水前の給水期間を示し、Ｗ２は、排水後の給水期間を示す。Ｐ１は、破封期間を示す。ａ１は、閉塞部７が排水トラップ２の下流端の開口を塞ぐ期間を示す。
【００２６】
用便後、水洗便器やトイレルームの壁に設けたスイッチを押すと、給水部４が便器ボウル１への水の供給を開始し、その後、駆動部３のモータが駆動して、排水トラップ２が第一の封水姿勢から第二の封水姿勢（図２Ｄ参照）へと回動される。その後、駆動部３により排水トラップ２が第二の封水姿勢から排水姿勢（図２Ｂ参照）へと回動される。排水トラップ２の第二の封水姿勢から排水姿勢への回動を開始するタイミングで、給水部４は水の供給を一旦停止する。
【００２７】
便器ボウル１及び排水トラップ２内に溜まっている水や排泄物等は、排水姿勢にある排水トラップ２の下流端の開口からトラップケース６へ排出され、その後、トラップケース６の排出口６６を通じて外部の下水管へ排出される。
【００２８】
排水トラップ２が排水姿勢となってから所定時間が経過し、水や排泄物等が排水トラップ２から排出されたタイミングで、給水部４が便器ボウル１への水の供給を開始する。その後、駆動部３のモータが駆動して、排水トラップ２が排水姿勢から第二の封水姿勢（図２Ｄ参照）へと回動される。第二の封水姿勢にある排水トラップ２の下流端の開口は、図１Ｂに示すように、閉塞部７によって全体的に塞がれ、筒部１５内及び排水トラップ２内に排水後に生じる空気の通路が、閉塞部７によって塞がれる。
【００２９】
便器ボウル１内に溜まった水の喫水線が筒部１５よりも上方に位置して、筒部１５及び排水トラップ２内に封水部が形成されると、駆動部３によって排水トラップ２が、第二の封水姿勢から第一の封水姿勢（図２Ｅ参照）へと回動される。このとき、図１Ａに示すように、排水トラップ２の下流端の開口が、閉塞部７に対してずれて、前記開口のうち一部（下側部分）が開く状態となる。
【００３０】
その後、便器ボウル１内に溜まった水の喫水線が筒部１５よりも上方の所定高さに位置すると、給水部４が水の供給を停止する。
【００３１】
以上のように動作する本実施形態の水洗便器では、便器ボウル１内の水や排泄物等が排水トラップ２から排水された後に、排水流路５に生じる空気の通路を閉塞部７で塞ぐことができる。そのため、本実施形態の水洗便器では、排水後の排水流路５に破封が生じることを閉塞部７によって抑制し、破封期間の短縮を図ることができる。これにより、本実施形態の水洗便器では、下水管からの臭いが排水トラップ２を通じて便器ボウル１へ上がってくることを抑制することができる。
【００３２】
また、本実施形態の水洗便器では、排水トラップ２内に水が溜まって封水部が形成された後、駆動部３により排水トラップ２を第二の封水姿勢から第一の封水姿勢へ切り替えるようにしている。これにより、本実施形態の水洗便器では、破封が生じることのないときには、排水トラップ２の下流端の開口を閉塞部７に対してずらして、排水トラップ２の下流端の開口のうち少なくとも一部を塞がないようにすることができる。
【００３３】
また、本実施形態の水洗便器では、閉塞部７を弾性体で形成することで、第二の封水姿勢にあるときの排水トラップ２の下流端の開口に、閉塞部７が密着しやすくなっており、排水トラップ２内に生じる空気の通路をより確実に閉塞することができる。
【００３４】
また、本実施形態の水洗便器では、閉塞部７を弾性体で形成することで、閉塞部７が排水トラップ２の下流端の開口に当たって変形するため、閉塞部７の寸法形状の自由度が高いという利点がある。
【００３５】
以上まとめると、一実施形態の水洗便器は、下記の構成を備える。
【００３６】
すなわち、一実施形態の水洗便器は、便器ボウル１と、便器ボウル１に水を供給する給水部４と、便器ボウル１の底部の排水口１０に接続された変形可能な排水トラップ２を備える。更に、一実施形態の水洗便器は、排水トラップ２が収納されるトラップケース６と、排水トラップ２の下流端の位置を排水位置と封水位置とに切り替える駆動部３とを備える。トラップケース６は、封水位置にあるときの排水トラップ２の下流端の開口を塞ぐように構成された閉塞部７を有する。
【００３７】
このような構成を備えることで、一実施形態の水洗便器は、便器ボウル１内の水や排泄物等を排水トラップ２から排水した後、排水トラップ２内に生じる空気の通路を、閉塞部７によって塞ぐことができる。これにより、一実施形態の水洗便器では、排水後の排水トラップ２に破封が生じることを抑制でき、下水管からの臭いが排水トラップ２を通じて便器ボウル１へと上がってくることを抑制することができる。
【００３８】
更に、一実施形態の水洗便器は、上記の構成に加えて、下記の構成を付加的に備える。
【００３９】
すなわち、一実施形態の水洗便器では、封水位置は、第一の封水位置と、第二の封水位置とを含む。一実施形態の水洗便器では、排水トラップ２の下流端は、第二の封水位置にあるときに、閉塞部７によって開口が塞がれ、第一の封水位置にあるときに、閉塞部７によって開口が塞がれないように設けている。
【００４０】
このような構成を備えることで、一実施形態の水洗便器では、破封が生じることのないときには、排水トラップ２の下流端の開口を塞がないようにすることができる。
【００４１】
更に、一実施形態の水洗便器は、上記の構成に加えて、下記の構成を付加的に備える。
【００４２】
すなわち、一実施形態の水洗便器は、閉塞部７は、弾性体で形成されている。
【００４３】
このように一実施形態の水洗便器では、閉塞部７を弾性体で形成することで、排水トラップ２の下流端の開口に、閉塞部７が密着しやすくなっており、排水トラップ２内に生じる空気の通路の遮断をより確実に行うことができる。
【００４４】
なお、上述した一実施形態では、駆動部３が排水トラップ２を回動させる機構であったが、駆動部３は、回動以外の機構で、排水トラップ２の下流端の位置を、第一の封水位置と第二の封水位置と排水位置とに切り替えるものであってもよい。
【００４５】
また、上述した一実施形態では、閉塞部７が弾性体で形成された中空の略板状のものであったが、閉塞部７は、中空や中実の略半球状の弾性体であってもよい。この場合、略半球状の閉塞部７は、第二の封水姿勢にある排水トラップ２の下流端の開口に入り込んで、前記開口を全体的に塞ぐことができる。また、閉塞部７は、プラスチック等の硬質な樹脂で形成された中空や中実のものであってもよく、その形状が、略板状や略半球状やその他の形状であってもよい。
【００４６】
また、上述した一実施形態では、閉塞部７がトラップケース６の上壁６３の一部から下方に突出したものであったが、閉塞部７は、封水位置にあるときの排水トラップ２の下流端の開口を塞ぐように構成されていればよく、上記の構成に限定されない。
【００４７】
例えば、閉塞部７が上壁６３の平坦な下面の一部であり、駆動部３が、第二の封水姿勢のときの排水トラップ２の下流端を上壁６３に押し当てるように排水トラップ２を移動させる構成であってもよい。
【００４８】
また、閉塞部７をトラップケース６の上壁６３に上下移動自在に設けて、閉塞部７を、第一の封水位置にある排水トラップ２の下流端の開口を閉塞する下位置と、前記開口を開く上位置との間で上下に移動する構成も採用可能である。閉塞部７を上下に移動させる機構は、従来周知の昇降機構が適用可能である。
【００４９】
また、閉塞部７を中空の弾性体で形成し、閉塞部７を空気で膨縮させることによって、第一の封水位置にある排水トラップ２の下流端の開口を開閉する構成も採用可能である。
【００５０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５１】
１      便器ボウル
２      排水トラップ
３      駆動部
４      給水部
６      トラップケース
７      閉塞部
１０    排水口
【図１】
0006497608.tif 000002
【図２】
0006497608.tif 000003
【図３】
0006497608.tif 000004